(57)【要約】  本発明は、モバイルサーバウォレットプロバイダポータル、システム、方法及び装置である。ＭＳＷＰポータルは、複数のＭＳＷＰ及びコンテンツプロキシの双方に通信接続している構造体を含むことができる。プロキシ内の支払いメッセージをＭＳＷＰポータルに送信する単一の複合プロファイルに複数のＭＳＷＰプロファイルを組み合わせるように構成できる複合プロファイル生成器を更に含むことができる。最後に、ＭＳＷＰポータルは、プロキシにより受信された支払い取引を処理するＭＳＷＰの１つのユーザ選択を処理するように構成された選択ロジックを含むことができる。本発明の好適な態様では、コンテンツプロキシを無線サービスプロキシ（ＷＳＰ）とすることができる。この点に関して、ＷＳＰは、支払いメッセージが、複合プロファイル内で特定された規則に匹敵すれば、支払いメッセージをポータルに送信するように構成されたフィルタプラグインを更に含むことができる。【特許請求の範囲】
【請求項１】
モバイルサーバウォレットプロバイダ（ＭＳＷＰ）ポータルであって、複数のＭＳＷＰ及びコンテンツプロキシの双方に通信接続している構造体と、前記プロキシ内の支払いメッセージを前記ＭＳＷＰポータルに送信する単一の複合プロファイルに複数のＭＳＷＰプロファイルを組み合わせるように構成された複合プロファイル生成器と、前記プロキシにより受信された支払い取引を処理する前記ＭＳＷＰの１つのユーザ選択を処理するように構成された選択ロジックとを含むＭＳＷＰポータル。
【請求項２】
前記コンテンツプロキシが無線サービスプロキシ（ＷＳＰ）である、請求項１に記載のポータル。
【請求項３】
前記支払いメッセージが、前記複合プロファイル内で特定された規則に匹敵すれば、前記支払いメッセージを前記ポータルに送信するように構成されたフィルタプラグインを前記ＷＳＰが更に含む、請求項２に記載のポータル。
【請求項４】
それぞれのオンライン金融機関に結合されている複数のモバイルサーバウォレットプロバイダ（ＭＳＷＰ）と、オンラインマーチャント及び前記オンラインマーチャントのエンドユーザ顧客の双方に結合するように構成された少なくとも１つのコンテンツプロキシと、前記ＭＳＷＰ及び前記少なくとも１つのコンテンツプロキシ間に配置されている少なくとも１つのＭＳＷＰポータルとを含む支払い取引システム。
【請求項５】
前記コンテンツプロキシが無線サービスプロキシ（ＷＳＰ）を含む、請求項４に記載の支払い取引システム。
【請求項６】
前記支払いメッセージが、前記ＭＳＷＰポータルによりフィルタプラグインに供給されたプロファイル内で特定された規則に匹敵すれば、支払いメッセージを前記ＭＳＷＰポータルに送信するように構成された前記フィルタプラグインを前記コンテンツプロキシが更に含む、請求項４に記載の支払い取引システム。
【請求項７】
移動商取引システムにおいて支払い取引を処理する方法であって、前記方法が、モバイルサーバウォレットプロバイダ（ＭＳＷＰ）のうちで選択された１つを識別して関連の支払い取引を処理するように支払いメッセージをポータル内で処理する工程と、前記ＭＳＷＰの識別した１つに前記支払いメッセージを送信する工程とを含む方法。
【請求項８】
前記ＭＳＷＰの各々に対する個々のＭＳＷＰプロファイルを複合プロファイルに組み合わせる工程と、前記移動商取引システム内のオンラインマーチャント及び顧客間に配置されているコンテンツプロキシを通過する支払いメッセージを捕捉するのに用いる前記コンテンツプロキシに前記複合プロファイルを供給する工程とを更に含む、請求項７に記載の方法。
【請求項９】
前記処理する工程が、前記支払いメッセージと関連する顧客を識別する工程と、前記顧客と関連するプロファイルを構文解析して、好ましいＭＳＷＰの選択されたものを決定する工程と、前記好ましいＭＳＷＰの選択されたものを表すユーザインターフェースを前記顧客に表示する工程と、前記ユーザインターフェースにおける前記顧客により供給されたデータに基づいて前記関連の支払い取引を処理するため、前記好ましいＭＳＷＰの特定の１つを選択する工程とを含む、請求項７に記載の方法。
【請求項１０】
前記好ましいＭＳＷＰの前記選択されたものにより生じた支払い取引データを前記顧客に中継する工程を更に含む、請求項９に記載の方法。
【請求項１１】
前記好ましいＭＳＷＰの前記選択されたものにより生じた支払い取引データを、前記支払い取引と関連するマーチャントに中継する工程を更に含む、請求項９に記載の方法。
【請求項１２】
前記中継する工程が、前記好ましいＭＳＷＰの前記選択されたものにより支払いの保証書を前記マーチャントに中継する工程を含む、請求項１１に記載の方法。
【請求項１３】
移動商取引システムにおいて支払い取引を処理するコンピュータプログラムを記憶するマシン可読記憶装置であって、前記コンピュータプログラムが命令のルーチンセットを含み、前記命令のルーチンセットが前記マシンにより実行されると、前記命令のルーチンセットにより前記マシンが、モバイルサーバウォレットプロバイダ（ＭＳＷＰ）のうちで選択された１つを識別して関連の支払い取引を処理するように支払いメッセージをポータル内で処理する工程と、前記ＭＳＷＰの識別した１つに前記支払いメッセージを送信する工程とを実行するようになっているマシン可読記憶装置。
【請求項１４】
前記ＭＳＷＰの各々に対する個々のＭＳＷＰプロファイルを複合プロファイルに組み合わせる工程と、前記移動商取引システム内のオンラインマーチャント及び顧客間に配置されているコンテンツプロキシを通過する支払いメッセージを捕捉するのに用いる前記コンテンツプロキシに前記複合プロファイルを供給する工程とを更に含む、請求項１３に記載のマシン可読記憶装置。
【請求項１５】
前記処理する工程が、前記支払いメッセージと関連する顧客を識別する工程と、前記顧客と関連するプロファイルを構文解析して、好ましいＭＳＷＰの選択されたものを決定する工程と、前記好ましいＭＳＷＰの選択されたものを表すユーザインターフェースを前記顧客に表示する工程と、前記ユーザインターフェースにおける前記顧客により供給されたデータに基づいて前記関連の支払い取引を処理するため、前記好ましいＭＳＷＰの特定の１つを選択する工程とを含む、請求項１３に記載のマシン可読記憶装置。
【請求項１６】
前記好ましいＭＳＷＰの前記選択されたものにより生じた支払い取引データを前記顧客に中継する工程を更に含む、請求項１５に記載のマシン可読記憶装置。
【請求項１７】
前記好ましいＭＳＷＰの前記選択されたものにより生じた支払い取引データを、前記支払い取引と関連するマーチャントに中継する工程を更に含む、請求項１５に記載のマシン可読記憶装置。
【請求項１８】
前記中継する工程が、前記好ましいＭＳＷＰの前記選択されたものにより支払いの保証書を前記マーチャントに中継する工程を含む、請求項１７に記載のマシン可読記憶装置。
【発明の詳細な説明】
【技術分野】
【０００１】
本願明細書は、「ＤＹＮＡＭＩＣ  ＰＲＯＣＥＳＳＩＮＧ  ＯＦ  ＰＡＹＭＥＮＴ  ＲＥＱＵＥＳＴＳ  ＦＯＲ  ＭＯＢＩＬＥ  ＣＯＭＭＥＲＣＥ  ＴＲＡＮＳＡＣＴＩＯＮＳ」と題し、２００３年９月３０日に提出した米国特許出願第１０／６７５，５０３号の一部継続出願であり、この出願の内容は、参照することにより本願明細書に組み込まれる。
【０００２】
本発明は、移動商取引の分野に関し、特に、支払い取引管理ネットワークにおいてモバイルサーバウォレットを用いる支払い請求処理に関する。
【背景技術】
【０００３】
移動商取引は、携帯電話、パーソナルデジタルアシスタントまたはデジタルペーパのような可動性のパーベイシブデバイスを介して開始できる電子商取引である。代表的な移動商取引は、商品またはサービスの購入、航空運賃を含む旅行切符の購入、及び、スポーツ行事、映画またはミュージカルコンサートのような会場への入場許可の購入を含む。従来の電子商取引では、取引をホストするウェブサーバに通信接続されている第３者決済システムを介して取引の支払いを清算することができる。この点において、従来の電子商取引は、簡単な方式のコンテンツ閲覧クライアント、コンテンツサーバ及び支払い清算システムを含む場合がある。
【０００４】
移動商取引は主にパーベイシブデバイスの可動性のために電子商取引とは異なる。特に、コンテンツサーバ及び支払い清算システムに加えて、無線サービスプロバイダが、パーベイシブデバイスのネットワークとインターネットとの間でゲートウェイとして作用するよう要求される。重要なことには、移動商取引においてパーベイシブデバイスの可動性が与えられると、モバイルサーバウォレットは、顧客のパーベイシブデバイス及びマーチャント支払い清算システムからの支払い情報の交換を容易にするように配備される。モバイルサーバウォレットは、顧客及びマーチャント双方の便宜のため、買物情報、支払い請求情報、支払い方法、支払い情報などを記憶することができる。顧客の手による介入を必要としないで、取引を容易にするため、精算所のマーチャントにより個々のモバイルサーバウォレットにアクセスすることができる。モバイルサーバウォレットの利便性を顧客に提供するため、無線サービスプロバイダとモバイルサーバウォレットプロバイダとの間で関係を確立しなければならない。その上、まさにその本質から、個々のパーベイシブデバイスは、無線サービスプロバイダに知られないままでいるモバイルサーバウォレットプロバイダとの関係を享受してもよい。この点において、無線サービスプロバイダ内、分離したインターネットサービスプロバイダ内、金融機関のコンテンツサーバ内、個々のマーチャントの取引処理設備内、または、コンテンツポータル内にモバイルサーバウォレットプロバイダを配置することができる。いずれにせよ、モバイルサーバウォレットプロバイダの身元にかかわらず、無線サービスプロバイダは、支払いメッセージを適切に送信するため、この身元を知らなければならない。
【０００５】
図１は、無線ネットワーク内に配置されているモバイルサーバウォレットプロバイダを介して支払いメッセージを送信できる周知のモバイルトランザクションアーキテクチャを示す概略図である。既知の技術のアーキテクチャは、無線サービスプロバイダネットワーク内のモバイルサービスウォレットプロバイダ（ＭＳＷＰ）１２０に結合されている無線サービスゲートウェイ１４０を含むことができる。動作中、ユーザモバイル装置１１０はグローバルなインターネットの無線部分及び有線結合部分の双方を介してオンラインストア１５０と交信することができる。取引を完了すると、ＭＳＷＰ１２０は「精算ページ」を傍受することができ、ユーザモバイル装置１１０によりもたらされたモバイルサーバウォレット（図示せず）と共同して精算ページを処理することができる。特に、ＭＳＷＰ１２０は、複数の支払い発行装置１３０の中に配置されている適切な支払い発行装置１６０に支払い取引を送信することができる。支払い発行装置１６０は、支払いの約束を生じさせるように取引を処理することができる。その後、支払い発行装置１６０はＭＳＷＰ１２０を介してオンラインストア１５０に約束を送信することができる。
【発明の開示】
【発明が解決しようとする課題】
【０００６】
当業者に明らかになるように、ＭＳＷＰ技術が移動商取引の概念的枠組み内に組み込まれている従来の方式は、幾つかの重要な点において不完全なままである。第１には、無線ネットワーク内でＭＳＷＰ１２０を支援する充分な基礎構造が必要とされている。ＭＳＷＰ１２０は、本格的なオペレーティングシステム、データベース管理システム及びアプリケーションサーバを最低限含まなければならない。その上、上述のアーキテクチャが最低限侵害的な構造であるとはとても言えない。これに加えて、複数のＭＳＷＰを介して異なるモバイルサーバウォレットの動的選択を支援するように、図１のアーキテクチャを縮小拡大することができない。
【課題を解決するための手段】
【０００７】
本発明は、ＭＳＷＰ管理に関する技術の欠如に対処し、移動商取引システムにおいて単一のＭＳＷＰポータルを介して複数のＭＳＷＰを管理する新規で進歩性を有する方法、システム及び装置を提供する。本発明の好適な態様では、ＭＳＷＰポータルは、複数のＭＳＷＰ及びコンテンツプロキシの双方に通信接続している構造体を含むことができる。プロキシ内の支払いメッセージをＭＳＷＰポータルに送信する単一の複合プロファイルに複数のＭＳＷＰプロファイルを組み合わせるように構成できる複合プロファイル生成器を更に含むことができる。最後に、ＭＳＷＰポータルは、プロキシにより受信された支払い取引を処理するＭＳＷＰの１つのユーザ選択を処理するように構成された選択ロジックを含むことができる。本発明の好適な態様では、コンテンツプロキシを無線サービスプロキシ（ＷＳＰ）とすることができる。この点に関して、ＷＳＰは、支払いメッセージが、複合プロファイル内で特定された規則に匹敵すれば、支払いメッセージをポータルに送信するように構成されたフィルタプラグインを更に含むことができる。本発明のＭＳＷＰポータルを組み入れた支払い取引システムは、それぞれのオンライン金融機関に結合されている１つ以上のＭＳＷＰを含むことができる。オンラインマーチャント及びオンラインマーチャントのエンドユーザ顧客の双方に結合するように少なくとも１つのコンテンツプロキシを構成することができる。最後に、少なくとも１つのＭＳＷＰポータルをＭＳＷＰとコンテンツプロキシとの間に配置することができる。特に、コンテンツプロキシはＷＳＰを含むことができる。更に、コンテンツプロキシは、支払いメッセージが、ＭＳＷＰポータルによりフィルタプラグインに供給されたプロファイル内で特定された規則に匹敵すれば、支払いメッセージをＭＳＷＰポータルに送信するように構成されたフィルタプラグインを更に含むことができる。移動商取引システムにおいて支払い取引を処理する方法では、ＭＳＷＰのうちで選択された１つを識別して関連の支払い取引を処理するように支払いメッセージをポータル内で処理することができる。その後、ＭＳＷＰの識別した１つに支払いメッセージを送信することができる。好ましくは、ＭＳＷＰの各々に対する個々のＭＳＷＰプロファイルを複合プロファイルに組み合わせることができる。組み合わせた後、移動商取引システム内のオンラインマーチャントと顧客との間に配置されているコンテンツプロキシを通過する支払いメッセージを捕捉するのに用いるコンテンツプロキシに複合プロファイルを供給することができる。
【０００８】
本発明の方法の処理工程は、支払いメッセージと関連する顧客を識別する工程と、顧客と関連するプロファイルを構文解析して、好ましいＭＳＷＰの選択されたものを決定する工程とを含むことができる。好ましいＭＳＷＰの選択されたものを表すユーザインターフェースを顧客に表示することができる。その結果、ユーザインターフェースにおける顧客により供給されたデータに基づいて関連の支払い取引を処理するため、好ましいＭＳＷＰの特定の１つを選択することができる。その後、好ましいＭＳＷＰの選択されたものにより生じた支払い取引データを顧客に中継することができる。同様に、好ましいＭＳＷＰの選択されたものにより生じた支払い取引データを、支払い取引と関連するマーチャントに中継することができる。
【０００９】
本発明の追加の態様を部分的に下記に説明し、下記の説明から部分的に明らかにし、あるいは、本発明の追加の態様を本発明の実践により知ることができる。特に特許請求の範囲に指摘した要素及び組み合わせにより本発明の態様を実現及び達成することができる。当然のことながら、上述の概要及び下記の詳細な記述のどちらも例示であって、説明のためでしかなく、特許請求の範囲のように本発明を制限しない。
【００１０】
本明細書に組み込まれ、本明細書の一部を構成する添付図面は本発明の実施形態を図示し、記述と共に本発明の原理を説明するのに役立つ。本明細書で示す実施形態は現在好ましい。しかし、当然のことながら、本発明は図示の明確な配置及び手段に限定されない。
【発明を実施するための最良の形態】
【００１１】
本発明はＭＳＷＰポータルである。対応のＭＳＷＰにより支援されている選択したモバイルサーバウォレットに支払いメッセージを送信するため、コンテンツルーティングプロキシへのプラグインにＭＳＷＰポータルを結合することができる。無線通信リンクを介して複数のパーベイシブデバイスを支援するのに確立された無線サービスプロバイダネットワーク内にルーティングプロキシを配置することができる。プラグインは、マーチャントのコンピュータ装置と加入者のパーベイシブデバイスとの間の無線サービスプロバイダネットワークに送られる支払いメッセージを傍受することができる。加入者とＭＳＷＰポータルとの間の接続を確立することができる。その後、プラグインは支払いメッセージを対応のＭＳＷＰポータルに送信することができ、対応のＭＳＷＰポータルは、選択可能なＭＳＷＰセットを加入者に供給することができる。選択可能なＭＳＷＰセットから、加入者は、支払いメッセージを処理する特定のＭＳＷＰを選択することができる。図２は、本発明のＭＳＷＰポータルを配置できる無線サービスプロバイダネットワーク内に配置されている支払い取引管理システムを示す概略図である。支払い取引管理システムは、１つ以上の支払い発行装置２２０に通信接続されている多数のＭＳＷＰ２３０を含むことができる。ＭＳＷＰ２３０により管理されているモバイルサーバウォレットと関連する購入者に対して、ＭＳＷＰ２３０の各々は、複数の支払い発行装置２２０のうちの支払い発行装置２６０から支払いの保証書を得ることができる。支払いの保証書を得る処理を無線サーバプロバイダネットワーク内のマーチャント２５０とパーベイシブデバイス２１０との間の支払いメッセージ２９０の傍受にリンクすることができる。特に、無線サーバプロバイダネットワーク内に配置されているルーティングプロキシサーバ２４０にフィルタプラグイン２７０をプログラムでつなげることができる。例えば、ルーティングプロキシサーバ２４０を、米国ニューヨーク州アーモンク市のインターナショナルビジネスマシーンズ社により製造されたＷｅｂＳｐｈｅｒｅ（同社の商標）  Ｅｖｅｒｙｐｌａｃｅ（同社の商標）  Ｓｅｒｖｅｒのようなキャッシングプロキシサーバとすることができる。どんな場合でも、フィルタプラグイン２７０は、興味のあるデータを識別するため、プロキシサーバ２４０に流れるデータを読み取ることができる。本発明の構成によれば、興味のあるデータを、特定の加入者、特定のパーベイシブデバイス、特定のマーチャントまたは他の識別特性と関連する支払いメッセージとすることができる。特に、フィルタプラグイン２７０を特定の加入者に「施錠する」ことにより、プラグイン２７０のルーティング動作を、モバイルサーバウォレットを用いる加入者に限定することができる。支払いメッセージ２９０が、フィルタプラグイン２７０内に設定されているフィルタの基準を満たすと識別された後、支払いメッセージ２９０を、ＭＳＷＰ２３０の対応の１つにより管理されている特定のモバイルサーバウォレットに送信することができる。次に、ＭＳＷＰ２３０のうちの対応する１つは、複数の支払い発行装置２２０のうちの特定の支払い発行装置２６０から支払いの保証書��得ることができる。支払いの保証書を得ることができた後、ＭＳＷＰ２３０は、マーチャントシステム２５０を対象とする支払いメッセージ２９０内の支払い情報を戻すことができる。この点について、支払いメッセージ２９０を、完成した「精算」ページとすることができる。
【００１２】
重要なことには、すべての支払いメッセージを無線サービスプロバイダネットワーク中の固定のＭＳＷＰ内で静的に処理する従来技術で既知である従来の支払い取引処理とは異なって、本発明のシステムでは、フィルタプラグイン２７０は、特定の加入者、特定のマーチャント、特定のコンテンツまたはその他のこのようなフィルタリング特性との関連に基づいて動作できる支払いメッセージ２９０のみをフィルタリングすることにより過度のオーバヘッドの消費を回避することができることを当業者により認識されるであろう。これを受けて、図３は、図２の支払い取引管理システムにおいて支払い請求の管理をフィルタリングする処理を示すフローチャートである。
【００１３】
最初のブロック３１０では、メッセージが無線サービスプロバイダネットワーク内のプロキシサーバに流れている時、支払いメッセージを検出することができる。ブロック３２０では、メッセージの態様例えば、受信アドレスまたは送信アドレスをフィルタと比較して、支払いメッセージをフィルタで処理すべきか、あるいは、支払いメッセージを無視すべきかを決定することができる。決定ブロック３３０でフィルタが支払いメッセージの態様とフィルタとの間の適合を指摘すれば、ブロック３４０では、好ましいモバイルサーバウォレットを識別することができ、ブロック３５０では、支払いメッセージを、好ましいモバイルサーバウォレットに送信することができる。さもなければ、ブロック３６０でフィルタにより支払いメッセージを無視することができる。次に、図２に戻り、一連のプロファイル２８０を無線サービスプロバイダネットワーク内に設けることができる。プロファイル２８０の各々は、ＭＳＷＰ２３０の対応する１つと関連付けられている異なるマーチャントを照合することができる。あるいはまた、プロファイル２８０の各々は、フィルタプラグイン２７０により処理できる電子商取引マークアップ言語のような商取引規格を表すことができる。ＭＳＷＰ２３０の関連の１つを特定するプロファイル２８０の各々に対して、フィルタプラグイン２７０は、ＭＳＷＰ２３０の関連の１つから生じるメッセージトラヒックを監視することができる。この点について、プロファイル２８０の各々は、マーチャントウェブサイトで処理できるフォームタグに加えて、マーチャントウェブサイトの完全に記述したＵＲＬを含むことができる。メッセージトラヒックがプロキシサーバ２４０に流れている時、フィルタプラグイン２７０は、プロファイル２８０の関連の１つに指定されているフィルタ条件に匹敵するデータに対する支払いメッセージ２９０を監視することができる。条件が匹敵する場合、指定されたモバイルサーバウォレットは介入して支払い取引を容易にすることができる。
【００１４】
特に、プロキシサーバ２４０へのプラグイン２７０だけを必要とすることにより、無線サービスプロバイダネットワークは、モバイルサーバウォレット機能をそれぞれの加入者に与えることができる他の実体と提携することができる。その結果、無線サービスプロバイダネットワークは、モバイルサーバウォレット自体を管理することもホストすることも必要としない。従って、フィルタプラグインを有する無線サービスプロバイダネットワークの構造は、幾つかの有利なホストのためのシナリオを生じさせることができる。例えば、無線サービスプロバイダはモバイルサーバウォレットをホストして、ネットワークを通じ、移動商取引について最終的な制御をプロバイダに与えることができる。その上、制御と共に責任が生じ、このような構造は、モバイルサーバウォレットを管理する無線サービスプロバイダを必要とする。
【００１５】
本発明によれば、「囲い込み」アプローチを用いてモバイルサーバウォレットをポータル内でホストすることができる。多数のモバイルマーチャントと、これらモバイルマーチャントにおいて購入を処理できるモバイルサーバウォレットとを顧客に提供することができる。更なる説明では、図４は、本発明の好適な態様に従ってＭＳＷＰポータルが組み込まれている図２の支払い取引管理システムを示す概略図である。
【００１６】
図４に示す支払い取引システムは、図２のシステムの場合でのようにＷＳＰキャッシングプロキシ４４０へのフィルタプラグイン４７０に結合されているＭＳＷＰポータル４００を含むことができる。コンピュータ通信ネットワーク上のオンラインマーチャント４５０とエンドユーザ４１０との間を通過する支払いメッセージ４９０を検査するようにフィルタプラグイン４７０をプログラムすることができる。ＭＳＷＰポータル４００と関連する特定のエンドユーザに関する特定のメッセージを識別するようにフィルタプラグイン４７０を更にプログラムすることができる。しかし、図２の構造とは異なって、フィルタプラグイン４７０は、プロファイル４８０の適切な１つに基づいて特定の支払いメッセージ４９０を処理するＭＳＷＰ４３０の特定の１つを識別する必要がない。むしろ、ＭＳＷＰ４３０の１つを選択する処理をＭＳＷＰポータル４００に任せることができる。
【００１７】
この点に関して、ＭＳＷＰポータル４００を１つ以上のＭＳＷＰ４３０に結合することができ、１つ以上のＭＳＷＰ４３０を安全なコンピュータ通信ネットワーク上の１つ以上の支払い発行装置４２０に結合することができる。ＭＳＷＰ４３０の対応の１つは、要求に応じて、支払い発行装置４２０の特定の１つから支払いの保証書を得ることができる。しかし、支払いメッセージ４９０を処理する特定のＭＳＷＰ４３０の選択をＭＳＷＰポータル４００内で処理することができる。特に、ＭＳＷＰポータル４００は、ＭＳＷＰ４３０の結合されている各々１つに対するプロファイル４８０に問い合わせることができる。問い合わせたプロファイル４８０を、ＷＳＰキャッシングプロキシ４４０内のフィルタプラグイン４７０に供給される複合プロファイル４６０内に集めることができる。
【００１８】
支払いメッセージ４９０の捕捉された１つが複合プロファイル４６０内の規則の１つに匹敵すれば、フィルタプラグイン４７０は、支払いメッセージ４９０の捕捉された１つをＭＳＷＰポータル４００に通すことができる。ＭＳＷＰ４３０のうちのどれが、支払いメッセージ４９０の捕捉された１つと関連する取引を処理すべきかについて、ＭＳＷＰポータル４００は次にエンドユーザ４１０に問い合わせることができる。更に、ＭＳＷＰポータル４００は、支払いメッセージ４９０の捕捉された１つが新たな取引を意味するか、あるいは、単に進行中の取引の成分を意味するかを、支払いメッセージ４９０の捕捉された１つから決定することができる。更なる特定の説明では、図５は、図４の支払い取引管理システムにおいて支払い請求の管理をフィルタリングする処理を示すフローチャートである。最初のブロック５０５では、ＭＳＷＰポータルにおいてユーザまたはユーザ群の代わりに１つ以上のＭＳＷＰを登録することができる。登録したＭＳＷＰの各々は、ユーザまたはユーザ群に対する１つ以上の好ましい支払い機構及び支払いデータを特定する記憶されたプロファイルを含むことができる。各ＭＳＷＰの記憶されたプロファイルを、ＷＳＰで受信した支払い取引メッセージの処理で使用するために単一の複合プロファイルに組み合わせることができる。その後、ブロック５１０及び５１５では、ＭＳＷＰは取引を待つことができる。ＭＳＷＰポータルで取引が要求されると、ブロック５２０で支払いメッセージを受信することができ、ブロック５２５では、支払いメッセージと関連するユーザまたはユーザ群を識別することができる。識別されたユーザまたはユーザ群ごとにどのＭＳＷＰが好ましいかを指摘することができるユーザについてのプロファイルをユーザまたはユーザ群の識別に基づいて取り出すことができる。ブロック５３５では、プロファイルで特定された通りのＭＳＷＰの選択をユーザに与えることができる。その後、ブロック５４０、５４５及び５６０では、処理は、支払いメッセージを処理するために特定のＭＳＷＰの選択を待つことができる。
【００１９】
決定ブロック５４５では、特定のＭＳＷＰの選択が受信されると、ブロック５５０で支払いメッセージを、選択したＭＳＷＰに通すことができる。例えば、既知の好ましい支払い方法の選択肢の中から好ましい支払い方法をユーザが選択することを要求することにより、選択したＭＳＷＰは次に支払いメッセージを処理することができる。選択したＭＳＷＰは更に、ユーザによる検証のため、前もって規定された請求書の送付先及び発送先データを含む支払いデータをユーザに与えることができる。最後に、ブロック５５５では、選択したＭＳＷＰは、ＭＳＷＰポータルを介して関連の支払い取引データをＷＳＰに転送することができる。この点に関して、関連の支払い取引データは、マーチャントにより供給された購入取引書類を完成するのに必要とされるデータを含むことができる。または、関連の支払い取引データは、実際の支払い保証書あるいは、取引の支払いを保証するのに役立つ固有の口座番号を含むことができる。
【００２０】
ハードウェア、ソフトウェア、または、ハードウェア及びソフトウェアの組み合わせで本発明を実現することができる。１つのコンピュータシステムの中心に集める中央方式で、または、異なる要素が、幾つかの相互接続したコンピュータシステムにわたって広がる分散方式で本発明の方法及びシステムの実施形態を実現することができる。どんな種類のコンピュータシステムも、または、本明細書に記述した方法を実行するのに適した他の装置は、本明細書に記述した機能を実行するように適応されている。
【００２１】
ハードウェア及びソフトウェアの代表的な組み合わせを、コンピュータプログラムを有する汎用コンピュータシステムとすることができ、このコンピュータプログラムがロード及び実行されると、コンピュータプログラムは、本明細書に記述した方法をコンピュータシステムが実行するようにコンピュータシステムを制御する。本明細書に記述した方法の実施を可能にするすべての特徴を含み、コンピュータシステム内にロードされると、これら方法を実行できるコンピュータプログラム製品にも本発明を組み入れることができる。
【００２２】
本明細書におけるコンピュータプログラムまたはアプリケーションは、情報処理能力を有するシステムに特定の機能を直接実行させるか、あるいは、ａ）別の言語、コードまたは表記への変換、及び、ｂ）異なる形態での再生の双方またはいずれか一方の後で実行させることを目的とする一連の命令のあらゆる言語、コードまたは表記のいかなる表現をも意味する。本発明の精神または本質的な属性を逸脱することなしに他の特定の形態で本発明を実施することができ、従って、本発明の範囲を表す特許請求の範囲を参照すべきであることに留意すべきである。
【図面の簡単な説明】
【００２３】
【図１】最先端の既知の支払い取引管理システムを示す概略図である。
【図２】対応のＭＳＷＰにより支援されている選択したモバイルサーバウォレットに支払いメッセージを送信するため、コンテンツルーティングプロキシへのプラグインを組み入れた支払い取引管理システムを示す概略図である。
【図３】図２の支払い取引管理システムにおいて支払い請求の管理をフィルタリングする処理を示すフローチャートである。
【図４】本発明の好適な態様に従ってＭＳＷＰポータルが組み込まれている図２の支払い取引管理システムを示す概略図である。
【図５】図４の支払い取引管理システムにおいて支払い請求の管理をフィルタリングする処理を示すフローチャートである。
【図１】
2007518175.tif 000002
【図２】
2007518175.tif 000003
【図３】
2007518175.tif 000004
【図４】
2007518175.tif 000005
【図５】
2007518175.tif 000006
【国際調査報告】
2007518175.tif 000007
2007518175.tif 000008
2007518175.tif 000009
2007518175.tif 000010